(57)【要約】      （修正有）【課題】携帯電子機器の小型の表示装置でマンガ紙面を読んでいるかのような自然な感じでマンガ等の画像データを表示させることができる画像データ編集技術を提供する。【解決手段】画像データに設定した特定の第１指定領域から第１指定領域の次に表示する第２指定領域に向けて画面をスクロール表示させる設定を、重なり割合判定手段１６により、第１指定領域と第２指定領域の相互の重なり割合を判定し、スクロール時間設定手段１７により、重なり割合判定手段１６で判定された重なり割合に応じて第１指定領域から第２指定領域に向けて画面をスクロール表示させるスクロール時間を設定する。【選択図】図１
2010008955.tif 000002
【特許請求の範囲】
【請求項１】
携帯電子機器の表示画面に表示させる画像データを、所定の表示態様となるように編集する画像データ編集装置であって、
編集対象の画像データに対して前記携帯電子機器の表示画面に表示する単位としてのステップサイズで指定領域を複数設定する指定領域設定手段と、
設定した特定の第１指定領域から前記第１指定領域の次に表示する第２指定領域に向けて画面をスクロール表示させる設定を行うスクロール表示設定手段と、
前記第１指定領域と前記第２指定領域の相互の重なり割合を判定する重なり割合判定手段と、
前記重なり割合判定手段で判定された重なり割合に応じて前記第１指定領域から前記第２指定領域に向けて画面をスクロール表示させるスクロール時間を設定するスクロール時間設定手段と
を有することを特徴とする画像データ編集装置。
【請求項２】
前記スクロール時間設定手段は、前記重なり割合が少なくなるほどスクロール時間を長く設定することを特徴とする請求項１記載の画像データ編集装置。
【請求項３】
前記スクロール表示設定手段は、前記第２指定領域以降の指定領域にもスクロール表示を行う場合に、前記第２指定領域及びそれ以降の指定領域にも連続して自動的にスクロール表示させるように設定することを特徴とする請求項１記載の画像データ編集装置。
【請求項４】
前記スクロール時間設定手段は、３つ以上の連続する指定領域間に連続するスクロール表示が設定される場合に、前記重なり割合判定手段の判定結果に基づいて３つ以上の指定領域間に一定のスクロール時間を設定することを特徴とする請求項２又は３記載の画像データ編集装置。
【請求項５】
前記スクロール時間設定手段は、３つ以上の指定領域間に連続するスクロール表示が設定される場合に、それぞれの指定領域間に前記重なり割合判定手段の判定結果に基づいてそれぞれのスクロール時間を設定することを特徴とする請求項２又は３記載の画像データ編集装置。
【請求項６】
前記携帯電子機器の表示画面に表示する単位としてのステップサイズを設定するステップサイズ設定手段をさらに有することを特徴とする請求項１〜５のいずれか１に記載の画像データ編集装置。
【請求項７】
前記画像データがマンガであり、前記指定領域に前記マンガの一コマの全部又は一部が含まれることを特徴とする請求項１〜６のいずれか１に記載の画像データ編集装置。
【請求項８】
携帯電子機器の表示画面に表示させる編集対象の画像データに対して前記携帯電子機器の表示画面に表示する単位としてのステップサイズで指定領域を複数設定する指定領域設定ステップと、
設定した特定の第１指定領域から前記第１指定領域の次に表示する第２指定領域に向けて画面をスクロール表示させる設定を行うスクロール表示設定ステップと、
前記第１指定領域と前記第２指定領域の相互の重なり割合を判定する重なり割合判定ステップと、
前記重なり割合判定ステップで判定された重なり割合に応じて前記第１指定領域から前記第２指定領域に向けてスクロール表示を行うスクロール時間を設定するスクロール時間設定ステップと
を有することを特徴とする画像データ編集方法。
【請求項９】
携帯電子機器の表示画面に表示させる編集対象の画像データに対して前記携帯電子機器の表示画面に表示する単位としてのステップサイズで指定領域を複数設定する指定領域設定ステップと、
設定した特定の第１指定領域から前記第１指定領域の次に表示する第２指定領域に向けて画面をスクロール表示させる設定を行うスクロール表示設定ステップと、
前記第１指定領域と前記第２指定領域の相互の重なり割合を判定する重なり割合判定ステップと、
前記重なり割合判定ステップで判定された重なり割合に応じて前記第１指定領域から前記第２指定領域に向けてスクロール表示を行うスクロール時間を設定するスクロール時間設定ステップと
を有する画像データ編集方法をコンピュータに実行させるためのコンピュータプログラム。
【発明の詳細な説明】
【技術分野】
【０００１】
本発明は、マンガ等のデジタルデータ化した画像を携帯電子機器へ表示させるに当たって所定の表示態様となるように編集する画像データ編集技術に関する。
【背景技術】
【０００２】
近年、携帯電話や携帯型ゲーム端末をはじめとして携帯型の情報端末が普及し、これらの携帯型の情報端末において、テレビの視聴やデジタルデータ化された小説を読むことが可能となっている。携帯型の情報端末では表示が不向きであったマンガのような画像であっても、表示装置の高精細化に伴って携帯電話の表示画面で楽しむことができるようになってきている。そのため、近年、携帯電話、ＰＤＡ（Personal Digital Assistant）等を対象に、漫画を電子配信するサービスが広がっている。
【０００３】
既存のコミック本をデジタルデータ化するには、スキャナ等で読み取り、画像編集ソフトを使用して、画像を整形し、コマ毎に切り出しなどして編集する必要がある。携帯電子機器の小型の表示装置に表示させる技術が、例えば特許文献１に記載されている。
【特許文献１】特開２００７−２２６２５５号公報
【発明の開示】
【発明が解決しようとする課題】
【０００４】
しかし、マンガの紙面構成をそのまま用いる編集方法では、携帯電子機器の小型の表示装置に表示を行なった場合にマンガ紙面の内容が小さすぎて内容が判別できないという課題がある。また、完全にコマ単位に切り分けて逐次表示すると原作のマンガが有するストーリー展開が寸断されてしまうという課題がある。
【０００５】
本発明は、かかる課題に鑑みてなされたもので、携帯電子機器の小型の表示装置でマンガ紙面を読んでいるかのような自然な感じでマンガ等の画像データを表示させることができる画像データ編集技術を提供することを目的とする。
【課題を解決するための手段】
【０００６】
上記目的を達成するため、本発明の画像データ編集装置は、携帯電子機器の表示画面に表示させる画像データを、所定の表示態様となるように編集する画像データ編集装置であって、編集対象の画像データに対して前記携帯電子機器の表示画面に表示する単位としてのステップサイズで指定領域を複数設定する指定領域設定手段と、設定した特定の第１指定領域から前記第１指定領域の次に表示する第２指定領域に向けて画面をスクロール表示させるスクロール表示設定手段と、前記第１指定領域と前記第２指定領域の相互の重なり割合を判定する重なり割合判定手段と、前記重なり割合判定手段で判定された重なり割合に応じて前記第１指定領域から前記第２指定領域に向けて画面をスクロール表示させるスクロール時間を設定するスクロール時間設定手段とを有する。
【０００７】
このような構成とすることにより、編集画面においてピクセル等で表示され、携帯電子機器の表示画面での長さの測定が困難であり、表示画面の長さに応じてスクロール速度を設定することが困難である場合でも、画面長さの代わりに指定領域相互の重なり割合を判定してスクロール時間を設定することにより、ピクセル等で表示された編集画面において携帯電子機器の小型の表示画面でマンガのコマ間又は一コマのスクロール表示をマンガ紙面を読んでいるかのような自然なスクロール速度となるように設定できる。
【０００８】
スクロール時間設定手段は、重なり割合が少なくなるほどスクロール時間を長く設定することが好ましい。これにより、重なり割合が少なくなるほどスクロール移動量が大きくなり、スクロール移動量に応じてスクロール時間を長く設定するため、マンガ紙面を読んでいるかのような自然なスクロール速度を設定することができる。
【０００９】
スクロール表示設定手段は、第２指定領域以降の指定領域にもスクロール表示を行う場合に、第２指定領域及びそれ以降の指定領域にも連続して自動的にスクロール表示をさせるように設定することが好ましい。これにより、第１指定領域から第２指定領域以降の指定領域まで例えばマンガの長い一コマである場合、第１指定領域から第２指定領域以降まで連続してスクロール表示させることにより、一コマをマンガ紙面を読んでいるかのような自然な視線の移動で読むことができる。
【００１０】
スクロール時間設定手段は、３つ以上の連続する指定領域間に連続するスクロールが設定される場合に、重なり割合判定手段の判定結果に基づいて指定領域間に一定のスクロール時間を設定することが好ましい。これにより、３つ以上の連続する指定領域間のそれぞれの指定領域間のスクロール時間が一定になるため、各指定領域間の重なり割合が近い場合に自然な視線の移動で読むことができる。
【００１１】
スクロール時間設定手段は、３つ以上の指定領域間に連続するスクロールが設定される場合に、それぞれの指定領域間に重なり割合判定手段の判定結果に基づいてそれぞれのスクロール時間を設定することが好ましい。これにより、各指定領域間の重なりが不均一であっても、自然な視線の移動で読むことができる。
【００１２】
携帯電子機器の表示画面に表示する単位としてのステップサイズを設定するステップサイズ設定手段をさらに有することが好ましい。これにより、例えばコミック本の大きさや内容に合わせて携帯電子機器の小型の表示画面で見やすいステップサイズを設定することができる。
【００１３】
画像データがマンガであり、指定領域にマンガの一コマの全部又は一部が含まれることが好ましい。これにより、マンガのコマ間のスクロール表示及び大きなコマ全体を見せるスクロール表示を自然な視線の移動のように設定することができる。
【００１４】
本発明の画像データ編集方法は、携帯電子機器の表示画面に表示させる編集対象の画像データに対して前記携帯電子機器の表示画面に表示する単位としてのステップサイズで指定領域を複数設定する指定領域設定ステップと、設定した特定の第１指定領域から前記第１指定領域の次に表示する第２指定領域に向けて画面をスクロール表示させる設定を行うスクロール表示ステップと、前記第１指定領域と前記第２指定領域の相互の重なり割合を判定する重なり割合判定ステップと、前記重なり割合判定手段で判定された重なり割合に応じて前記第１指定領域から前記第２指定領域に向けてスクロール表示を行うスクロール時間を設定するスクロール時間設定ステップとを有する。
【００１５】
本発明の画像データ編集方法をコンピュータに実行させるためのコンピュータプログラムは、携帯電子機器の表示画面に表示させる編集対象の画像データに対して前記携帯電子機器の表示画面に表示する単位としてのステップサイズで指定領域を複数設定する指定領域設定ステップと、設定した特定の第１指定領域から前記第１指定領域の次に表示する第２指定領域に向けて画面をスクロール表示させる設定を行うスクロール表示ステップと、前記第１指定領域と前記第２指定領域の相互の重なり割合を判定する重なり割合判定ステップと、前記重なり割合判定手段で判定された重なり割合に応じて前記第１指定領域から前記第２指定領域に向けてスクロール表示を行うスクロール時間を設定するスクロール時間設定ステップとを有する。
【発明の効果】
【００１６】
本発明は、画像データ編集装置の表示部に表示される編集画面において、指定領域相互の重なり割合を判定してスクロール時間を設定する構成であるため、携帯電子機器の小型の表示画面でマンガ紙面を読んでいるかのような自然なスクロール速度を容易に設定することができる。
【発明を実施するための最良の形態】
【００１７】
以下、本発明の画像データ編集技術の実施の形態について図面を参照しながら説明するが、本発明は以下の実施の形態に限定されるものではない。
【００１８】
図１は、本発明にかかる画像データ編集装置の構成を示すブロック図である。図１に示す画像データ編集装置１は、バス２に装置全体を制御するＣＰＵ（Central Processing Unit）等の制御部３、コンピュータプログラムやデータを記憶する記憶部４、キーボード、マウス、スキャナ等の情報入力部５、ディスプレイ等の表示部６などが接続されている。
【００１９】
画像データ編集装置１の記憶部４には、コンピュータプログラムとして、ステップサイズ設定手段（ステップサイズ設定ステップ）１２、指定領域設定手段（指定領域設定ステップ）１３、順序設定手段（順序設定ステップ）１４、スクロール表示設定手段（スクロール表示設定ステップ）１５、重なり割合判定手段（重なり割合判定ステップ）１６及びスクロール時間設定手段（スクロール時間設定ステップ）１７が設定されていると共に、編集情報格納部２０が形成されている。
【００２０】
ステップサイズ設定手段１２は、携帯電子機器の表示画面に表示する単位であるステップサイズを設定する。ステップサイズは、コミック本の大きさや、マンガの精細度に応じて適宜設定される。例えば、コミック本の横幅（基準枠）の半分の幅の正方形の枠を設定することができる。
【００２１】
指定領域設定手段１３は、編集対象の画像データからステップサイズの範囲内で携帯電子機器の表示画面に表示する領域を選択する。例えば、マンガの一コマ（枠によって仕切られたマンガの場面展開の単位）を一つの指定領域で選択する。選択された指定領域の画像データは、編集情報格納部２０へ保存される。順序設定手段１４は、選択された指定領域に画面表示の順番を付し、指定領域と対応づけて編集情報格納部２０へ保存する。スクロール表示設定手段１５は、スクロール表示の有無、スクロールを開始する指定領域の番号、スクロールを終了する指定領域の番号、スクロールの方向などを設定し、編集情報格納部２０へ保存する。重なり割合判定手段１６は、スクロールを開始する指定領域と次に表示する指定領域の相互の重なり割合を判定し、スクロール時間設定手段１７へデータを渡す。スクロール時間設定手段１７は、重なり割合判定手段１６で重なり割合を判定された２つの指定領域間のスクロール時間を、予め設定されている重なり割合とスクロール時間の対応関係に基づいて設定し、スクロール表示設定手段１５の設定と対応づけて編集情報格納部２０へ保存する。
【００２２】
図２は画像データ編集装置１の動作を説明するフローチャートであり、以下、このフローチャートに基づいて画像データ編集方法について説明する。まず、コミック本などの漫画本の紙面をスキャナ等の情報入力部５で読み込み、画像をデジタルデータとして画像データ編集装置１の記憶部４へ取り込む（Ｓ１）。例えば、漫画本の１ページが１つの画像データとして取り込まれる。記憶部４へ格納されたマンガの画像データは、情報入力部５を操作して例えばページ単位で選択されて表示部６で表示することができる。
【００２３】
ユーザはステップサイズ設定手段１２により、読み込んだコミック本に応じて携帯電子機器の表示画面に表示する単位であるステップサイズを設定する（Ｓ２）。ステップサイズが例えばコミック本の横幅の半分の幅の正方形の範囲に設定されると、この範囲が携帯電子機器の表示画面において例えば２４０ピクセル×２４０ピクセルで表示される。
【００２４】
表示部６に表示されている１ページ分のマンガの画像データに対して情報入力部５を介して指定領域設定手段１３により、上記において設定したステップサイズで指定領域を選択する（Ｓ３）。例えば、コミック本の一コマがステップサイズの範囲内に収まれば、その一コマを一つの指定領域として選択する。小さいコマの複数個がステップサイズ内に収まれば、その複数個のコマを一つの指定領域として選択する。ステップサイズを超える大きさのコマでは、このコマのストーリー上必要な部分だけを選択することができる。また、ステップサイズを超える大きなコマで、全体を表示する必要があるコマは、２つ以上の指定領域でそのコマ全体をカバーするように指定領域を選択し、これらの指定領域が対応づけられる。
【００２５】
選択された指定領域に対し、情報入力部５を介して順序設定手段１４の動作により手動で、あるいは、順序設定手段１４が自動的に、画面表示の順番を付する（Ｓ４）。また、例えば、長い一コマのように複数の指定領域でコマ全体をカバーする場合は、これらの指定領域がこの順序設定手段１４によって対応づけられる。
【００２６】
次に、ある指定領域（以下、第１指定領域という）から次に表示する指定領域（以下、第２指定領域という）に向かってスクロールさせるときのスクロールに要する時間を設定するスクロール時間設定手段１７の処理を説明する。第１指定領域と第２指定領域とは同じコマ内に設定される場合と、それぞれ異なるコマに設定されている場合とがある。第１指定領域と第２指定領域とが同じコマ内に設定されているときは、コマ全体をスクロール表示で表示するものである。第１指定領域と第２指定領域とが異なるコマに設定されているときには、コマ間のスクロール表示となる。
【００２７】
第１指定領域から第２指定領域に向かうスクロール表示を設定する場合は、スクロール表示設定手段１５で第１指定領域にスクロール表示の設定を対応付ける（Ｓ５）。スクロールの設定は、スクロールの有無、スクロール方向等であり、スクロール速度については、スクロール時間設定手段１７で設定された値を用いる。
【００２８】
第１指定領域にスクロールを設定する場合、第１指定領域からスクロール表示される第２指定領域と第１指定領域間の移動距離に応じてスクロール時間を設定することにより、自然な視線の移動に相当する速度でスクロール表示が行われるために好ましい。しかし、指定領域は、表示部６において所定の大きさで表示され、携帯電子機器の表示画面の大きさで表示されるわけではないため、実際の表示画面の長さに応じたスクロール速度を設定することが困難である。
【００２９】
そのため、本発明においては、第１指定領域と第２指定領域の重なり割合でスクロール表示の移動量を判定するようにしている。重なり割合判定手段１６は、第１指定領域にスクロール表示を設定することが決定された場合（Ｓ５において「ＹＥＳ」）、第１指定領域と第２指定領域の重なり割合を判定する（Ｓ６）。具体的には、重なり割合判定手段１６は、第２指定領域の中心点の位置と第１指定領域のスクロール方向の外縁の位置の差から重なり割合を判定する。この方法によれば、指定領域相互の重なり割合を簡便に測ることができる。
【００３０】
図３を参照して重なり割合の判定方法を説明する。図３は右側の第１指定領域１００から左側の第２指定領域２００に向かって水平方向へスクロールする場合の第１指定領域１００と第２指定領域２００が重なる割合を算出する概念図である。第１指定領域１００の左上隅１０１の位置（左外縁）と第２指定領域２００の幾何中心２０１の位置との水平方向の距離に対する第２指定領域２００の幅の割合を図ることにより、第１指定領域１００と第２指定領域２００の重なり割合を測定する。
【００３１】
図３（ａ）に示すように、第２指定領域２００の中心点２０１と第１指定領域１００の左上隅点との水平距離が、第２指定領域２００の幅の−１／５（中心点より左外縁が左側にある場合をマイナスとする）である場合、重なり割合は１／２−（−１／５）＝３／５となり、携帯電子機器の表示画面の横のピクセルを２４０とすると、スクロールで見せる長さは２４０＋２４０×（１−３／５）＝３３６ピクセルとなる。
【００３２】
図３（ｂ）に示すように、第２指定領域２００の中心点２０１が第１指定領域１００の左外縁と一致する場合、重なり割合は１／２−０＝１／２となり、携帯電子機器の表示画面の横のピクセルを２４０とすると、スクロールで見せる長さは２４０＋２４０×（１−１／２）＝３６０ピクセルとなる。
【００３３】
図３（ｃ）に示すように、第２指定領域２００の中心点２０１と第１指定領域１００の左外縁との水平距離が、第２指定領域２００の幅の１／５（中心点より左外縁が右側にある場合をプラスとする）である場合、重なり割合は１／２−（１／５）＝２／５となり、携帯電子機器の表示画面の横のピクセルを２４０とすると、スクロールで見せる長さは２４０＋２４０×（１−２／５）＝３８４ピクセルとなる。
【００３４】
図３（ｄ）に示すように、第２指定領域２００の中心点２０１と第１指定領域１００の左外縁との距離が、第２指定領域２００の幅の１／３（中心点より左外縁が右側にある場合をプラスとする）である場合、重なり割合は１／２−（１／３）＝１／３となり、携帯電子機器の表示画面の横のピクセルを２４０とすると、スクロールで見せる長さは２４０＋２４０×（１−１／３）＝４００ピクセルとなる。
【００３５】
図３（ｅ）に示すように、第２指定領域２００の中心点２０１と第１指定領域１００の左外周縁との水平距離が、第２指定領域２００の幅の１／２（中心点より左外縁が右側にある場合をプラスとする）である場合、重なり割合は１／２−（１／２）＝０となり、携帯電子機器の表示画面の横のピクセルを２４０とすると、スクロールで見せる長さは２４０＋２４０×（１−０）＝４８０ピクセルとなる。
【００３６】
重なり割合とスクロール時間設定の関係は、予めテーブル又は関数の形式で記憶部４に格納されている。スクロール時間設定手段１７は、この重なり割合とスクロール時間設定の関係を参照し、重なり割合判定手段１６で判定された重なり割合に応じてスクロール時間（スクロール速度）を設定する（Ｓ７）。設定されたスクロール時間は、第１指定領域と対応づけられてスクロール表示設定手段１５の設定の一部として編集情報格納部２０へ保存される。
【００３７】
図３（ａ）〜（ｅ）に示された重なり割合に対応するスクロール時間の設定値の例をまとめて次表に示す。指定領域相互の重なり割合に応じてスクロール時間を設定することにより、携帯電子機器の表示画面を単位としてスクロール長さを求めることができる。
【表１】
2010008955.tif 000003
【００３８】
以上説明したスクロール表示は、第１指定領域から第２指定領域に向かうスクロール表示であったが、第２指定領域から次に表示する第３指定領域に向かってスクロール表示を連続して行う場合、さらには第３指定領域から次に表示する第４指定領域に向かってというように３箇所以上の指定領域を連続してスクロール表示する場合がある。そこで、このような場合御におけるスクロール時間設定方法を説明する。
【００３９】
図４は連続的にスクロール表示する第１指定領域、第２指定領域及び第３指定領域の重なりを模式的に示した概念図である。図４に示す第１指定領域１００と第２指定領域２００の重なり割合と、第２指定領域２００と第３指定領域３００の重なり割合はほぼ同一である。マンガでは、第１指定領域１００から第３指定領域までの例えば横長の一コマを読ませる場合に、連続したスクロール表示を利用すると、これらの第１指定領域１００から第３指定領域３００までが一つのコマであることを明瞭に示し、ストーリー展開を妨げない。
【００４０】
この場合、中間の第２指定領域２００に自動的にスクロール表示を行う設定を対応づける。また、第１指定領域１００から第２指定領域２００へのスクロール時間の設定及び第２指定領域２００から第３指定領域３００へのスクロール時間の設定は、重なり割合判定手段１６とスクロール時間設定手段１７がそれぞれの第１指定領域１００と第２指定領域２００の重なり割合及び第２指定領域２００と第３指定領域３００の重なり割合からそれぞれ独立して設定することができる。第３指定領域３００以降に表示する第４指定領域以降についても同様にスクロール表示の自動設定及びスクロール時間の設定を順次行うことで、４つ以上の指定領域にわたる連続したスクロール表示を設定することができる。
【００４１】
なお、連続する複数のスクロール表示が設定される場合、それぞれのスクロール時間をそれぞれ設定するのではなく、例えば、これらのスクロール時間の平均時間又は代表時間で統一した一定のスクロール時間を設定してもよい。
【００４２】
上記の説明は、右側から左側へ水平方向へスクロール表示させる場合であったが、第１指定領域と第２指定領域、更には第３指定領域以降が縦方向に繋がっている場合でも、同様に指定領域間の相互の重なり割合を基準にしてスクロール時間を設定することができる。
【産業上の利用可能性】
【００４３】
本発明の技術は、携帯電話等の携帯電子機器にマンガの画像を配信するコンテンツ配信事業に利用することができる。
【図面の簡単な説明】
【００４４】
【図１】本発明の画像データ編集装置の構成例を示すブロック図である。
【図２】スクロール速度を設定する方法を説明するフローチャートである。
【図３】２つの指定領域の重なり割合を判定する方法を説明する概念図である。
【図４】３つの指定領域の重なり割合を説明する概念図である。
【符号の説明】
【００４５】
１    ：    画像データ編集装置
３    ：    制御部
４    ：    記憶部
５    ：    情報入力部
６    ：    表示部
１２  ：    ステップサイズ設定手段
１３  ：    指定領域設定手段
１４  ：    順序設定手段
１５  ：    スクロール表示設定手段
１６  ：    重なり割合判定手段
１７  ：    スクロール時間設定手段
２０  ：    編集情報格納部
１００：    第１指定領域
１０１：    左上隅点
２００：    第２指定領域
２０１：    幾何中心点
３００：    第３指定領域
【図１】
2010008955.tif 000004
【図２】
2010008955.tif 000005
【図３】
2010008955.tif 000006
【図４】
2010008955.tif 000007